(57)【特許請求の範囲】
【請求項１】
排気口を有する外装筐体と、
前記外装筐体内に設けられ、冷却対象を冷却した空気を、前記排気口を介して前記外装筐体外に排出する冷却装置と、を備え、
前記外装筐体は、前記排気口を仕切って複数の開口部を形成する仕切り部材を備え、
前記仕切り部材は、
前記冷却装置から前記排気口に向けて流通する前記空気の流通方向に対する直交面において互いに直交する第１方向及び第２方向のうち第１方向に沿う第１仕切部と、
前記第２方向に沿い、前記第１仕切部と交差する第２仕切部と、
前記複数の開口部のうち少なくとも１つの開口部の端縁から当該開口部内に突出する突出部と、を有し、
前記第１仕切部は、前記流通方向に対して傾斜し、
前記突出部は、前記流通方向に沿って見た場合、前記突出部の全体が前記第２方向における前記第１仕切部の寸法内に位置していることを特徴とするプロジェクター。
【請求項２】
請求項１に記載のプロジェクターにおいて、
前記突出部は、前記第１仕切部と前記第２仕切部との交差部位に配設されていることを特徴とするプロジェクター。
【請求項３】
請求項１又は請求項２に記載のプロジェクターにおいて、
前記突出部は、前記開口部において、前記第２方向及び前記第２方向とは反対方向のそれぞれに配置され、
前記第２方向に配置される前記突出部と、前記第２方向とは反対方向に配置される前記突出部とは、形状が異なることを特徴とするプロジェクター。
【請求項４】
請求項１から請求項３のいずれか一項に記載のプロジェクターにおいて、
前記突出部は、前記流通方向に対して傾斜する傾斜面を有することを特徴とするプロジェクター。
【請求項５】
請求項４に記載のプロジェクターにおいて、
前記突出部は、略角錐形状に形成され、
前記傾斜面は、前記流通方向下流側の前記突出部の断面積が、前記流通方向上流側の前記突出部の断面積より大きくなるように傾斜していることを特徴とするプロジェクター。
【請求項６】
請求項５に記載のプロジェクターにおいて、
前記複数の開口部のうち前記突出部が配置される開口部は、前記流通方向に沿って見て略矩形に形成され、
略矩形に形成された前記開口部における前記第２方向とは反対方向の２つの隅部には、前記傾斜面を有する前記突出部がそれぞれ配置され、
前記２つの隅部に配置された前記突出部の前記傾斜面は、互いに対向することを特徴とするプロジェクター。
【発明の詳細な説明】
【技術分野】
【０００１】
本発明は、プロジェクターに関する。
【背景技術】
【０００２】
従来、光源装置と、当該光源装置から出射された光を変調して画像情報に応じた画像を形成する光変調装置と、形成された画像を投射する投射光学装置と、を備えたプロジェクターが知られている。このようなプロジェクターとして、超高圧水銀ランプ等の光源ランプを有する光源装置を備えたプロジェクターが知られている。
ところで、光源ランプは、点灯時に非常に高温となる一方で、適切に冷却しないと失透や黒化が発生して、寿命が短縮されてしまう。このため、光源ランプを冷却する冷却装置を備えたプロジェクターが提案されている（例えば、特許文献１参照）。
【０００３】
この特許文献１に記載のプロジェクターでは、冷却装置は、４つのファンを備え、これらのうち２つのファンは、外部から導入された空気を光変調装置としての液晶パネルを有する光学装置に送風して、当該光学装置を冷却する。また、他の１つのファンは、プロジェクターの外装筐体内に導入された空気を光源装置に送風して、当該光源装置を冷却する。更に、他の１つのファンは、光源装置を冷却した空気を吸引し、外装筐体の正面に形成された排気口を介して、当該外装筐体外に排出する。
このような冷却装置により、光変調装置や光源装置を好適に冷却できる。
【先行技術文献】
【特許文献】
【０００４】
【特許文献１】特開２０１０−０３８９７５号公報
【発明の概要】
【発明が解決しようとする課題】
【０００５】
近年、プロジェクターには、高輝度な光を出射する光源装置が採用され、高輝度化が図られている。このようなプロジェクターでは、光源装置にて生じる熱も高くなることから、上記ファンの回転速度を高くして、光源装置への空気の送風量を多くするとともに、当該光源装置を冷却した空気の排出量を多くし、これにより、当該光源装置を効率よく冷却することが考えられる。
しかしながら、プロジェクターの外装筐体に形成された排気口の内側に配置されたファンの回転速度が高められると、当該排気口から排出される空気の風切音が大きくなる。一方で、このような排気口からファンの位置を遠ざけると、光源装置等の発熱源を冷却した空気の排出効率が低下し、外装筐体内に熱がこもりやすくなるという問題がある。
このため、排気音等の騒音を低減できる構成が要望されてきた。
【０００６】
本発明は、上記課題の少なくとも一部を解決することを目的としたものであり、騒音を低減できるプロジェクターを提供することを目的の１つとする。
【課題を解決するための手段】
【０００７】
本発明の一態様に係るプロジェクターは、排気口を有する外装筐体と、前記外装筐体内に設けられ、冷却対象を冷却した空気を、前記排気口を介して前記外装筐体外に排出する冷却装置と、を備え、前記外装筐体は、前記排気口を仕切って複数の開口部を形成する仕切り部材を備え、前記仕切り部材は、前記複数の開口部のうち少なくとも１つの開口部の端縁から当該開口部内に突出する突出部を有することを特徴とする。
【０００８】
上記一態様によれば、冷却装置から送出された空気が、仕切り部材により排気口が仕切られることによって形成される複数の開口部を流通する際に、当該開口部内に突出する突出部によって、空気の小さな渦（乱流）を発生させることができる。そして、突出部が突出する開口部を空気が流通することにより、当該空気の小さな渦を複数発生させることができる。これによれば、上記突出部がない複数の開口部を空気が流通して、大きな渦が発生する場合に比べて、風切音を小さくすることができる。従って、プロジェクターの排気騒音を低減できる。
また、上記突出部によって空気の小さな渦を発生させることにより、開口部を空気が通過する際の抵抗が低減される。これによれば、複数の開口部を通過する空気の流速が減じられることを抑制でき、外装筐体外に排出される空気の流量（風量）を増加させることができる。従って、冷却対象を冷却した空気の排出効率を高めることができ、ひいては、外装筐体内の冷却対象を効果的に冷却できる。
この他、複数の開口部を通過する空気の流速及び流量が高められることから、当該複数の開口部を形成する仕切り部材の温度上昇を抑制できる。
【０００９】
上記一態様では、前記仕切り部材は、前記冷却装置から前記排気口に向けて流通する空気の流通方向に対する直交面において互いに直交する第１方向及び第２方向に沿い、前記複数の開口部を形成する第１仕切部及び第２仕切部を有し、前記第１仕切部及び前記第２仕切部のうち一方の仕切部は、前記流通方向に対して傾斜して配置され、前記突出部は、前記流通方向に沿って見た場合、前記一方の仕切部の配置範囲内に位置していることが好ましい。
【００１０】
上記一態様によれば、第１仕切部及び第２仕切部のうち一方の仕切部が、排気口に流通する空気の流通方向に対して傾斜している。これによれば、当該一方の仕切部の傾斜方向を調整することにより、仕切り部材を介して排出される空気の排出方向を、所望の方向に調整できる。
また、突出部は、上記流通方向に沿って仕切り部材を見た場合に、上記一方の仕切部の配置範囲内に位置していることから、突出部を配置したことによって開口部の開口面積が減少することを抑制できる。すなわち、突出部が配設された開口部の開口面積と、突出部が配設されていない開口部の開口面積とを同じ面積とすることができる。従って、突出部を設けたことによる排出抵抗の上昇を抑制できるので、仕切り部材を介して滞りなく空気を排出できる。
【００１１】
上記一態様では、前記突出部は、前記第１仕切部と前記第２仕切部との交差部位に配設されていることが好ましい。
上記一態様によれば、突出部が第１仕切部及び第２仕切部の交差部位に設けられることにより、当該交差部位における第１仕切部及び第２仕切部の強度を高めることができる。従って、仕切り部材６の機械的強度を向上させることができる。
また、突出部が、仕切り部材と一体に成形されていれば、当該突出部を上記交差部位に確実に配置できる他、新たな部材を追加することなく上記仕切り部材を構成でき、これにより、上記効果を確実に奏することができる。
【００１２】
上記一態様では、前記突出部は、前記開口部において、前記冷却装置から前記排気口に向けて流通する空気の流通方向に直交する方向の一端側及び他端側にそれぞれ配置され、前記一端側に配置される前記突出部と、前記他端側に配置される前記突出部とは、形状が異なることが好ましい。
上記一態様によれば、開口部の一端側及び他端側に配置される突出部の形状がそれぞれ異なる。これによれば、開口部を空気が通過する際に、当該開口部の一端側及び他端側を流通する空気の流れが異なることから、これらが衝突して上記小さな渦（乱流）を発生させやすくすることができる。従って、プロジェクターの排気騒音を確実に低減できる他、排気効率を確実に高めることができる。
【００１３】
上記一態様では、前記突出部は、前記冷却装置から前記排気口に向けて流通する空気の流通方向に対して傾斜する傾斜面を有することが好ましい。
上記一態様によれば、空気が開口部内を流通する際に、突出部に沿わない空気の流れと、突出部の傾斜面に沿う空気の流れとを生じさせることにより、上記小さな渦（乱流）を発生させやすくすることができる。従って、プロジェクターの排気騒音を確実に低減できる他、排気効率を確実に高めることができる。
【００１４】
上記一態様では、前記突出部は、略角錐形状に形成され、前記傾斜面は、前記流通方向下流側の前記突出部の断面積が、前記流通方向上流側の前記突出部の断面積より大きくなるように傾斜していることが好ましい。
上記一態様によれば、突出部が略角錐形状に形成されていることにより、上記傾斜面を形成しやすくすることができる。また、上記傾斜面を空気が流通することにより、当該空気の広がりを抑制でき、これにより、傾斜面に沿って流通する空気と、傾斜面に沿わずに流通する空気との乱流を発生させやすくすることができる。従って、上記小さな渦（乱流）の発生を促すことができ、プロジェクターの排気騒音の低減、及び、排気効率の向上を図ることができる。
【００１５】
上記一態様では、前記複数の開口部のうち前記突出部が配置される開口部は、略矩形に形成され、前記開口部における一端側の２つの隅部には、前記傾斜面を有する前記突出部がそれぞれ配置され、前記２つの隅部に配置された前記突出部の前記傾斜面は、互いに対向することが好ましい。
上記一態様によれば、開口部における一端側の２つの隅部に配置された突出部の傾斜面は、互いに対向する。これによれば、当該突出部間の隙間は、空気の流通方向に向かうに従って狭まることとなり、これら突出部の傾斜面に沿って流通する空気を衝突させやすくすることができる。また、各傾斜面に沿って排出される空気は巻きやすくなるため、乱流が発生しやすくなる。従って、上記小さな渦（乱流）の発生を更に促すことができ、プロジェクターの排気騒音の低減、及び、排気効率の向上を確実に図ることができる。
【図面の簡単な説明】
【００１６】
【図１】本発明の一実施形態に係るプロジェクターの外観を示す斜視図。
【図２】上記実施形態における装置本体の構成を示す模式図。
【図３】上記実施形態における仕切り部材を正面側左方から見た斜視図。
【図４】上記実施形態における仕切り部材を正面側右方から見た斜視図。
【図５】上記実施形態における仕切り部材を背面側左方から見た斜視図。
【図６】上記実施形態における仕切り部材を背面側右方から見た斜視図。
【図７】上記実施形態における仕切り部材を示す断面図。
【図８】上記実施形態における仕切り部材の断面を示す図。
【図９】上記実施形態における仕切り部材を正面側から見た図。
【図１０】上記実施形態における仕切り部材を背面側から見た図。
【図１１】上記実施形態における仕切り部材を示す断面図。
【図１２】上記実施形態における比較対象の仕切り部材が採用された場合の排気風の流速分布を示す図。
【図１３】上記実施形態における比較対象の仕切り部材が採用された場合の排気風の流速分布を示す図。
【図１４】上記実施形態における仕切り部材が採用された場合の排気風の流速分布を示す図。
【図１５】上記実施形態における仕切り部材が採用された場合の排気風の流速分布を示す図。
【図１６】上記実施形態におけるファンの回転速度と排気騒音との関係を示すグラフ。
【発明を実施するための形態】
【００１７】
以下、本発明の一実施形態について説明する。
［プロジェクターの外観構成］
図１は、本実施形態に係るプロジェクター１を正面側上方から見た斜視図である。
本実施形態に係るプロジェクター１は、内部に配置された光源装置から出射された光を変調して画像情報に応じた画像を形成し、当該画像をスクリーン等の被投射面上に拡大投射する画像表示装置である。このプロジェクター１は、図１に示すように、外装を構成する外装筐体２と、当該外装筐体２内に配置される装置本体３と、を備える。
【００１８】
［外装筐体の構成］
外装筐体２は、図１に示すように、全体略直方体形状を有し、本実施形態では合成樹脂により形成されている。この外装筐体２は、アッパーケース２１及びロアーケース２２を有し、これらが組み合わされて構成されている。
アッパーケース２１は、外装筐体２における天面部２Ａと、正面部２Ｃ、背面部２Ｄ、左側面部２Ｅ及び右側面部２Ｆのそれぞれの一部と、を構成する。ロアーケース２２は、外装筐体２における底面部２Ｂと、正面部２Ｃ、背面部２Ｄ、左側面部２Ｅ及び右側面部２Ｆのそれぞれの一部と、を構成する。
【００１９】
これら各面部２Ａ〜２Ｆのうち、右側面部２Ｆには、外装筐体２外の空気を内部に導入するための吸気口２Ｆ１が形成されている。
正面部２Ｃには、後述する投射光学装置４６の一部を露出させ、当該投射光学装置４６から投射される画像を通過させる開口部２Ｃ１が形成されている。
また、正面部２Ｃにおける左側面部２Ｅ側の位置には、外装筐体２内を流通して冷却対象を冷却した空気が排出される排気口２Ｃ２が形成されている。この排気口２Ｃ２には、仕切り部材６が嵌め込まれている。この仕切り部材６については、後に詳述する。
【００２０】
［装置本体の構成］
図２は、装置本体３の構成を示す模式図である。
装置本体３は、プロジェクター１の内部構成に相当し、上記外装筐体２内に配置される。この装置本体３は、図２に示すように、画像形成装置４及び冷却装置５を備える。なお、図示を省略するが、装置本体３は、これらの他に、プロジェクター１全体の動作を制御する制御装置、及び、当該プロジェクター１を構成する電子部品に電力を供給する電源装置等を備える。
【００２１】
［画像形成装置の構成］
画像形成装置４は、上記制御装置による制御の下、画像情報に応じた画像を形成及び投射する。この画像形成装置４は、図２に示すように、光源装置４１、照明光学装置４２、色分離装置４３、リレー装置４４、電気光学装置４５及び投射光学装置４６と、これらを収納及び支持する光学部品用筐体４７と、を備える。
【００２２】
光源装置４１は、照明光学装置４２に光束を出射する。この光源装置４１は、光源ランプ４１１、リフレクター４１２及び平行化レンズ４１３と、これらを収納するハウジング４１４と、を有する。このハウジング４１４は、図示を省略するが、後述する冷却装置５を構成するファン５３から送出された冷却空気を内部に導入する導入口と、ハウジング４１４内に導入されて光源ランプ４１１を冷却した空気を排出する排出口と、を有する。
照明光学装置４２は、光源装置４１から入射される光束の中心軸に対する直交面内の照度を均一化する。この照明光学装置４２は、光源装置４１からの光の入射順に、第１レンズアレイ４２１、調光装置４２２、第２レンズアレイ４２３、偏光変換素子４２４及び重畳レンズ４２５を有する。
【００２３】
色分離装置４３は、照明光学装置４２から入射される光束を、赤（Ｒ）、緑（Ｇ）及び青（Ｂ）の３つの色光に分離する。この色分離装置４３は、ダイクロイックミラー４３１，４３２及び反射ミラー４３３を有する。
リレー装置４４は、分離された３つの色光のうち、他の色光に比べて光路が長い赤色光の光路上に設けられる。このリレー装置４４は、入射側レンズ４４１、リレーレンズ４４３及び反射ミラー４４２，４４４を有する。
【００２４】
電気光学装置４５は、分離された各色光を画像情報に応じてそれぞれ変調した後、当該各色光を合成する。この電気光学装置４５は、色光毎にそれぞれ設けられるフィールドレンズ４５１、入射側偏光板４５２、光変調装置としての液晶パネル４５３（赤、緑及び青用の液晶パネルをそれぞれ４５３Ｒ，４５３Ｇ，４５３Ｂとする）、視野角補償板４５４及び出射側偏光板４５５と、変調された各色光を合成して投射画像を形成する色合成装置４５６と、を有する。これらのうち、色合成装置４５６は、本実施形態においては、クロスダイクロイックプリズムにより構成されている。
投射光学装置４６は、形成された投射画像を上記被投射面上に拡大投射する。この投射光学装置４６は、複数のレンズ（図示省略）と、当該複数のレンズを内部に収納する鏡筒４６１とを備えた組レンズとして構成されている。
【００２５】
光学部品用筐体４７は、詳しい図示を省略するが、各種光学部品を収納する部品収納部材と、当該部品収納部材に形成された部品収納用の開口部を閉塞する蓋状部材と、投射光学装置４６を支持する支持部材と、を備える。この光学部品用筐体４７には、照明光軸Ａｘが設定されており、上記各装置４１〜４６は、当該照明光軸Ａｘに対する所定位置に配置される。このため、光源装置４１が光学部品用筐体４７に配置された際には、当該光源装置４１から出射される光の中心軸は、照明光軸Ａｘと一致する。
【００２６】
［冷却装置の構成］
冷却装置５は、４つのファン５１〜５４により構成され、それぞれ冷却対象である画像形成装置４、電源装置及び制御装置に、外装筐体２外から導入された空気を送風して、これら各装置を冷却する。これらファン５１〜５４のうち、上記投射光学装置４６を挟むように配置された一対のファン５１，５２は、シロッコファンにより構成され、外装筐体２の右側面部２Ｆに形成された吸気口２Ｆ１（図１参照）から外部の冷却空気を導入し、当該冷却空気を上記電気光学装置４５に送風する。
【００２７】
光源装置４１近傍に配置されたファン５３，５４のうち、プロジェクター１の背面部２Ｄ側に位置するファン５３はシロッコファンにより構成され、外装筐体２内の空気を吸引して、光源装置４１のハウジング４１４（詳しくは、上記導入口）に送風する。このファン５３によって送出された空気により、冷却対象である光源ランプ４１１及びリフレクター４１２は主に冷却される。
また、ファン５４は、軸流ファンにより構成され、光源装置４１を冷却した空気をハウジング４１４の排出口から吸引して、正面部２Ｃ（詳しくは、当該正面部２Ｃに形成された排気口２Ｃ２）に向けて排出する。この空気は、排気口２Ｃ２を介して外装筐体２外に排出される。
なお、ファン５３は軸流ファンであってもよく、ファン５４はシロッコファンであってもよい。また、当該空気が排出される排気口は、外装筐体２のどの面に形成されていてもよい。更に、ファン５４と排気口２Ｃ２に設けられる仕切り部材６とは、ダクトにより接続されていてもよい。
【００２８】
［仕切り部材の構成］
仕切り部材６は、図１に示すように、排気口２Ｃ２に取り付けられ、当該排気口２Ｃ２を仕切って複数の開口部６Ｓを形成するルーバーである。この仕切り部材６は、上記ファン５４から排出される空気を外装筐体２外に効率よく排出するとともに、排気騒音を低減させる機能を有する。
【００２９】
図３〜図６は、仕切り部材６を示す斜視図である。詳述すると、図３及び図４は、仕切り部材６を正面側左方及び正面側右方から見た斜視図であり、図５及び図６は、当該仕切り部材６を背面側左方及び背面側右方から見た斜視図である。
このような仕切り部材６は、図３〜図６に示すように、排気口２Ｃ２に嵌合される略矩形の外縁部６１と、当該外縁部６１の内側に格子状に配設される複数の仕切部６２と、を有し、当該複数の仕切部６２により、それぞれファン５４から排出された空気（以下、排気風という）が通過する複数の開口部６Ｓが形成されている。
なお、以下の説明では、上記ファン５４による空気の送出方向をＺ方向とし、当該Ｚ方向に対する直交面内にて、それぞれ互いに直交する方向をＸ方向及びＹ方向とする。これらのうち、Ｙ方向を、底面部２Ｂから天面部２Ａに向かう方向とし、Ｘ方向を、左側面部２Ｅから右側面部２Ｆに向かう方向とする。なお、Ｘ方向及びＹ方向は、それぞれ本発明の第１方向及び第２方向に相当し、Ｚ方向は、本発明の空気の流通方向に相当する。
【００３０】
外縁部６１は、排気口２Ｃ２の形状に応じた略矩形に形成されている。この外縁部６１は、図３及び図４に示すように、排気口２Ｃ２（正面部２Ｃ）に取り付けられた際に、当該排気口２Ｃ２の端縁を覆う被覆部６１１を有する。また、外縁部６１は、図５及び図６に示すように、Ｚ方向とは反対側に延出して、排気口２Ｃ２の内縁に当接される当接部６１２と、を有する。
【００３１】
仕切部６２は、Ｙ方向に沿う３つの第１仕切部６３と、Ｘ方向に沿う３つの第２仕切部６４とを有し、これら第１仕切部６３及び第２仕切部６４と、上記外縁部６１とにより、仕切り部材６の内側には、４行４列の計１６の開口部６Ｓが形成されている。これら開口部６Ｓは、Ｘ方向が長手方向となり、Ｙ方向が短手方向となる略矩形状に形成されている。
なお、図５及び図６に示すように、Ｘ方向に沿う第２仕切部６４におけるＹ方向側の面及びＹ方向とは反対側の面のそれぞれには、各開口部６Ｓの端縁を形成する領域のうちＺ方向とは反対側の位置（すなわち、排気風の入風側の位置）に、凹部６４１が形成されている。これら凹部６４１は、開口部６Ｓを通過する空気を整流する機能を有する。
【００３２】
［突出部の構成］
第１仕切部６３及び第２仕切部６４の交差部位、すなわち、略矩形状の開口部６Ｓの各隅部には、開口部６Ｓの内側に向かって突出する突出部７（７１〜７４）が設けられている。
具体的に、突出部７１は、開口部６Ｓにおいて、Ｘ方向側に位置する第１仕切部６３と、Ｙ方向側に位置する第２仕切部６４との交差部位に設けられている。
突出部７２は、開口部６Ｓにおいて、Ｘ方向側に位置する第１仕切部６３と、Ｙ方向とは反対側に位置する第２仕切部６４との交差部位に設けられている。
突出部７３は、開口部６Ｓにおいて、Ｘ方向とは反対側に位置する第１仕切部６３と、Ｙ方向側に位置する第２仕切部６４との交差部位に設けられている。
突出部７４は、開口部６Ｓにおいて、Ｘ方向とは反対側に位置する第１仕切部６３と、Ｙ方向とは反対側に位置する第２仕切部６４との交差部位に設けられている。
これら突出部７（７１〜７４）は、仕切り部材６（第１仕切部６３及び第２仕切部６４）と一体に成形されている。
【００３３】
ここで、上記開口部６Ｓの４列のうち、最もＸ方向に位置する１列の開口部６Ｓ１，６Ｓ２には、突出部７１，７２が設けられていない。これら開口部６Ｓ１，６Ｓ２のうち、最もＹ方向側に位置する開口部６Ｓ１には、突出部７３が設けられておらず、突出部７４のみが設けられている。
また、上記開口部６Ｓの４列のうち、最もＸ方向とは反対側に位置する１列の開口部６Ｓ３，６Ｓ４には、突出部７３，７４が設けられていない。これら開口部６Ｓ３，６Ｓ４のうち、最もＹ方向側に位置する開口部６Ｓ３には、突出部７１が設けられておらず、突出部７２のみが設けられている。
更に、上記開口部６Ｓの４列のうち、Ｘ方向において中央に位置する２列の開口部６Ｓは、開口部６Ｓ５，６Ｓ６に分けられる。これらのうち、最もＹ方向側に位置する開口部６Ｓ５には、突出部７１，７３が設けられておらず、突出部７２，７４が設けられている。一方、開口部６Ｓ５に対してＹ方向とは反対側に位置する６つの開口部６Ｓ６には、突出部７１〜７４が設けられている。
【００３４】
突出部７１，７２は、図３及び図５に示すように、略直角三角柱状に形成されている。
詳述すると、突出部７１の外面は、開口部６Ｓの端縁を形成するＹ方向側の第２仕切部６４からＹ方向とは反対側に垂直に起立する面と、Ｘ方向側の第１仕切部６３に対してＹ方向とは反対側に略４５°傾斜して起立する面とにより構成されている。
また、突出部７２の外面は、開口部６Ｓの端縁を形成するＹ方向とは反対側の第２仕切部６４からＹ方向側に垂直に起立する面と、Ｘ方向側の第１仕切部６３に対してＹ方向側に略４５°傾斜して起立する面とにより構成されている。
【００３５】
図７は、仕切り部材６のＹＺ平面に沿う断面を、Ｘ方向とは反対側から見た図である。
このため、突出部７１，７２の間には、Ｘ方向に向かうに従って、これらの間隔が広くなる隙間、換言すると、Ｘ方向とは反対側に向かうに従って、これらの間隔が狭くなる隙間が形成される。なお、上記のように、突出部７１，７２は、それぞれ略直角三角柱状に形成されていることから、これら突出部７１，７２間の間隔は、図７に示すように、Ｚ方向においては変化しない。
【００３６】
図８は、仕切り部材６のＹＺ平面における断面を示す図である。
突出部７３，７４は、図４、図６及び図８に示すように、略三角錐形状に形成されている。
詳述すると、突出部７３は、図８に示すように、開口部６Ｓの端縁を形成するＹ方向側の第２仕切部６４とＸ方向とは反対側の第１仕切部６３とに対して略４５°傾斜するとともに、Ｚ方向に対して傾斜する傾斜面７３１を有する。すなわち、突出部７３は、Ｚ方向側に向かうに従って当該突出部７３の断面積が大きくなるように、Ｚ方向に対して傾斜する傾斜面７３１を有する。すなわち、傾斜面７３１は、Ｚ方向下流側（Ｚ方向先端側であり、本発明の空気の流通方向下流側）の突出部７３の断面積が、Ｚ方向上流側（Ｚ方向基端側であり、当該流通方向上流側）の突出部７３の断面積より大きくなるように傾斜している。
また、突出部７４も同様に、図７に示すように、開口部６Ｓの端縁を形成するＹ方向とは反対側の第２仕切部６４とＸ方向とは反対側の第１仕切部６３とに対して略４５°傾斜するとともに、Ｚ方向に対して傾斜する傾斜面７４１を有する。すなわち、突出部７４は、Ｚ方向側に向かうに従って当該突出部７４の断面積が大きくなるように、Ｚ方向に対して傾斜する傾斜面７４１を有する。すなわち、傾斜面７４１は、Ｚ方向下流側の突出部７４の断面積が、Ｚ方向上流側の突出部７４の断面積より大きくなるように傾斜している。
このため、突出部７３，７４の間には、Ｚ方向に向かうに従って、これらの間隔が狭くなるとともに、Ｘ方向とは反対側に向かうに従って、これらの間隔が狭くなる隙間が形成される。
【００３７】
［第１仕切部の傾斜］
図９及び図１０は、仕切り部材６を正面側（Ｚ方向側）及び背面側（Ｚ方向とは反対側）から見た図である。また、図１１は、仕切り部材６のＸＺ平面に沿う断面をＹ方向とは反対側から見た図である。
ここで、Ｙ方向に沿う各第１仕切部６３は、図９〜図１１に示すように、Ｚ方向に対して傾斜している。詳述すると、各第１仕切部６３は、Ｚ方向に対してＸ方向とは反対側に略２８°傾斜している。このため、上記ファン５４から送出されてＺ方向に沿って流通する排気風の流通方向は、当該排気風が仕切り部材６の各開口部６Ｓを通過する際にＸ方向とは反対側、すなわち、左側面部２Ｅ側に傾斜する。これにより、温度が比較的高い排気風が、排気口２Ｃ２に対してＸ方向側に流通して、開口部２Ｃ１にて露出される投射光学装置４６から投射される画像が揺らぐことが抑制される。
【００３８】
また、図９〜図１１に示すように、第１仕切部６３及び第２仕切部６４の交差部位に位置する突出部７（７１〜７４）は、仕切り部材６をＺ方向（又はＺ方向とは反対方向）に沿って見た場合、当該第１仕切部６３の配置範囲内に位置している。
詳述すると、突出部７１，７３は、第１仕切部６３におけるＺ方向とは反対側で、かつ、Ｘ方向側の端部を通るＹＺ平面に平行な仮想面Ｐ１と、当該第１仕切部６３におけるＺ方向側で、かつ、Ｘ方向とは反対側の端部を通るＹＺ平面に平行な仮想面Ｐ２との間に配置されている。すなわち、突出部７１〜７４は、１つの第１仕切部６３におけるＸ方向側の面及びＸ方向とは反対側の面にそれぞれ位置し、Ｚ方向に沿って仕切り部材６を見た場合に、当該第１仕切部６３の配置範囲内（Ｘ方向における寸法内）に位置している。
なお、図１１では突出部７２，７４の図示が省略されているが、図９及び図１０に示すように、当該突出部７２，７４においても同様である。
【００３９】
このように配置される突出部７１，７２は、図１０に示すように、仕切り部材６をＺ方向に沿って見ると第１仕切部６３と重なり、突出部７３，７４は、図９に示すように、仕切り部材６をＺ方向とは反対方向に沿って見ると第１仕切部６３と重なる。
このため、Ｚ方向とは反対側、すなわち、上記ファン５４の配置位置から仕切り部材６を見た場合に、各開口部６Ｓの開口面積は、各突出部７１〜７４が設けられている場合と設けられていない場合とで変化がない。これにより、当該各突出部７１〜７４によって、各開口部６Ｓの開口面積が減じられて、排気が阻害されることが抑制される。
【００４０】
［排気風の流速］
図１２は、仕切り部材６と比較される仕切り部材６Ａが採用された場合に、上記ファン５４から送出されて当該仕切り部材６Ａを通過する排気風のＹＺ平面における流速分布を示す図である。なお、図１２〜図１５においては、排気風の流速が最も高い領域を領域ＦＲ１で示し、以下、領域ＦＲ２、領域ＦＲ３、領域ＦＲ４の順で流速が低くなる。
ここで、仕切り部材６に対する比較対象の仕切り部材６Ａが採用された場合の排気風の流速分布について説明する。なお、仕切り部材６Ａは、仕切り部材６と同様の構成を有するものの、上記突出部７が設けられていないものである。
仕切り部材６Ａが排気口２Ｃ２に取り付けられたプロジェクター１にてファン５４を駆動させた場合、当該仕切り部材６Ａを通過する排気風の流通範囲において流速が最も高い領域ＦＲ１は、図１２に示すように、当該仕切り部材６ＡからＺ方向に比較的短い範囲に位置する。そして、当該領域ＦＲ１の外側に、順に流速が下がる領域ＦＲ２、領域ＦＲ３及び領域ＦＲ４が位置する。
【００４１】
図１３は、仕切り部材６Ａを通過する排気風のＸＹ平面における流速分布を示す図である。
また、領域ＦＲ１は、図１３に示すように、ＸＹ平面において比較的小さい領域となる他、当該領域ＦＲ１より流速が低い領域ＦＲ２も比較的小さい領域となる。一方、当該領域ＦＲ２より流速が低い領域ＦＲ３、及び、当該領域ＦＲ３より更に流速が低い領域ＦＲ４は、比較的大きな領域となる。
更に、図示を省略するが、仕切り部材６Ａを通過する排気風では、当該排気風の流通方向に乱れは小さい。
【００４２】
図１４は、仕切り部材６が採用された場合に、上記ファン５４から送出されて当該仕切り部材６を通過する排気風のＹＺ平面における流速分布を示す図である。
これに対し、上記仕切り部材６が排気口２Ｃ２に取り付けられたプロジェクター１にて、上記仕切り部材６Ａが採用された場合と同様の回転速度にてファン５４を駆動させた場合、当該仕切り部材６を通過する排気風のＹＺ平面における流通範囲は、図１４に示すように、仕切り部材６Ａを通過する排気風のＹＺ平面における流通範囲（図１２参照）と略同じ範囲となる。しかしながら、仕切り部材６を通過する排気風の流通範囲において流速が最も高い領域ＦＲ１（上記領域ＦＲ１と同じ流速）は、上記仕切り部材６Ａが採用された場合に比べて、Ｚ方向及びＹ方向に長い領域（広い領域）となる。また、当該流通範囲において、領域ＦＲ２，ＦＲ３，ＦＲ４は、Ｙ方向に比較的狭い範囲となる。
このことは、仕切り部材６を通過する排気風の流速は、仕切り部材６Ａを通過する排気風の流速に比べて高い状態で維持され、当該仕切り部材６が採用される場合の排気風の排出効率が、仕切り部材６Ａが採用される場合の排気風の排出効率より高いことを示している。
【００４３】
図１５は、仕切り部材６を通過する排気風のＸＹ平面における流速分布を示す図である。
また、仕切り部材６が採用されたプロジェクター１にて、上記仕切り部材６Ａが採用された場合と同様の回転速度にてファン５４を駆動させた場合、当該仕切り部材６を通過する排気風のＸＹ平面における流通範囲は、図１５に示すように、仕切り部材６Ａを通過する排気風のＸＹ平面における流通範囲（図１３参照）と略同じ範囲となる。
しかしながら、仕切り部材６を通過する排気風のＸＹ平面における領域ＦＲ１は、図１５に示すように、仕切り部材６Ａが採用された場合に比べて大きな領域となる他、当該領域ＦＲ１の数も増加する。すなわち、領域ＦＲ１の面積は、仕切り部材６Ａが採用される場合に比べて、仕切り部材６が採用される場合の方が大きくなる。同様に、領域ＦＲ２の面積及び数も、仕切り部材６Ａが採用される場合に比べて増加する。一方、領域ＦＲ３，ＦＲ４の面積は、仕切り部材６Ａが採用される場合に比べてそれぞれ小さくなる。
【００４４】
更に、図示を省略するが、仕切り部材６を通過する排気風では、当該排気風の流通方向の乱れが大きく、小さな渦が複数発生する。これら渦は、流速が高い領域と低い領域との間、例えば、領域ＦＲ４において領域ＦＲ３によって挟まれる位置に見られる。
このように、排気風の流速が高い領域ＦＲ１，ＦＲ２の面積が、上記仕切り部材６Ａが採用された場合に比べて大きくなることは、排気風の排出流量が増加し、当該排気風の排出効率が高められていることを示している。
【００４５】
［プロジェクターの排気騒音］
図１６は、上記仕切り部材６及び仕切り部材６Ａが採用されたプロジェクター１の排気騒音を示すグラフである。換言すると、図１６は、上記ファン５４（冷却装置５の排気ファン）を各回転速度にて駆動させた場合のプロジェクター１の排気騒音を示すグラフである。すなわち、図１６は、ファン５４の回転速度と排気騒音との関係を示すグラフである。
図１６に示すように、プロジェクター１の排気口２Ｃ２に仕切り部材６を取り付けた場合（点線の場合）と、仕切り部材６Ａを取り付けた場合（実線の場合）とでは、ファン５４の駆動時の排気騒音は、前者の方が低減される。
例えば、上記光源ランプ４１１を高輝度で点灯させる場合に採用されるファン５４の高速回転時（３４００ｒｐｍでの回転時）では、仕切り部材６が採用された場合の方が、排気騒音が略１デシベル（ｄＢ）低かった。更に、上記光源ランプ４１１を低輝度で点灯させる場合に採用されるファン５４の低速回転時（２４００ｒｐｍでの回転時）では、仕切り部材６が採用された場合の方が、排気騒音が略３デシベル低かった。この３デシベルの差は、仕切り部材６Ａが採用された場合の排気騒音が、仕切り部材６が採用された場合の排気騒音の１．４倍であることを示す。
【００４６】
このように、突出部７（７１〜７４）が設けられた仕切り部材６を採用することにより、当該突出部７が設けられていない仕切り部材６Ａが採用される場合に比べ、排気騒音を低減できる。これは、突出部７が、各開口部６Ｓを排気風が通過する過程にて、空気の小さな渦（乱流）を発生させていることによる。これにより、当該排気風による騒音の発生が抑制されて、プロジェクター１の排気騒音が低減される他、高い流速が維持されたまま排気風が仕切り部材６から排出されることにより、排気風の排出効率及び冷却対象の冷却効率が向上される。
【００４７】
［実施形態の効果］
以上説明した本実施形態に係るプロジェクター１によれば、以下の効果がある。
冷却装置５のファン５４から送出された排気風が、仕切り部材６により排気口２Ｃ２が仕切られることによって形成される各開口部６Ｓを流通する際に、当該各開口部６Ｓ内に突出する突出部７によって、空気の小さな渦を複数発生させることができる。これによれば、上記図１６にて示したように、突出部７がない仕切り部材６Ａを空気が流通して、大きな渦が発生する場合に比べて、風切音を小さくすることができる。従って、プロジェクター１の排気騒音を低減できる。
また、突出部７によって空気の小さな渦が発生させることにより、開口部６Ｓを空気が通過する際の抵抗が低減される。これによれば、排気風の流速が減じられることを抑制でき、外装筐体２外への排気風の流量を増加させることができる。従って、光源装置４１（光源ランプ４１１）等の冷却対象を冷却した空気の排出効率を高めることができ、ひいては、当該冷却対象を効果的に冷却できる。
この他、各開口部６Ｓを通過する空気の流速及び流量が高められることから、当該各開口部６Ｓを形成する仕切り部材６の温度上昇を抑制できる。
【００４８】
第１仕切部６３及び第２仕切部６４のうち、Ｙ方向に沿う第１仕切部６３は、ファン５４による空気の送出方向であり、排気口２Ｃ２に流通する空気の流通方向であるＺ方向に対して、当該Ｚ方向に向かうに従ってＸ方向とは反対側に傾くように傾斜している。これによれば、仕切り部材６を介して排出される空気の排出方向を、Ｘ方向とは反対側に傾かせることができる。従って、仕切り部材６から排出される比較的温度が高い排気風が、投射光学装置４６から投射される画像の光路に流通することを抑制でき、投射される画像に揺らぎが生じることを抑制できる。
また、突出部７（７１〜７４）は、上記Ｚ方向に沿って仕切り部材６を見た場合に、当該Ｚ方向に対して傾斜する第１仕切部６３の配置範囲内（Ｘ方向における寸法内）に位置している。これによれば、当該Ｚ方向に沿って見た場合に、突出部７（７１〜７４）が設けられたことによって開口部６Ｓの開口面積が減少されることを抑制できる。すなわち、突出部７が配設された開口部６Ｓの開口面積と、当該突出部７が配設されていない開口部の開口面積とを同じ面積とすることができる。従って、突出部７１〜７４を設けたことによる排出抵抗の上昇を抑制でき、仕切り部材６を介して滞りなく空気を排出できる。
【００４９】
突出部７は、第１仕切部６３及び第２仕切部６４の交差部位に配設されている。これによれば、当該交差部位における第１仕切部６３及び第２仕切部６４の強度を高めることができる。従って、仕切り部材６の機械的強度を向上させることができる。
また、突出部７は、第１仕切部６３及び第２仕切部６４、ひいては、仕切り部材６と一体に成形されている。これによれば、当該突出部７を上記交差部位に確実に配置できる他、新たな部材を追加することなく上記仕切り部材を構成できる。従って、上記効果を確実に奏することができる。
【００５０】
開口部６Ｓ（具体的には、開口部６Ｓ５，６Ｓ６）におけるＸ方向側に配置される突出部７１，７２と、Ｘ方向とは反対側に配置される突出部７３，７４とは、形状がそれぞれ異なる。これによれば、当該各開口部６Ｓを排気風が通過する際に、上記小さな渦（乱流）を発生させやすくすることができる。従って、プロジェクター１の排気騒音を確実に低減できる他、排気効率を確実に高めることができる。
【００５１】
開口部６ＳにおけるＸ方向とは反対側に位置する突出部７３，７４は、Ｚ方向に対して傾斜する傾斜面７３１，７４１を有する。これによれば、排気風が開口部６Ｓ（詳しくは、開口部６Ｓ１，６Ｓ２，６Ｓ５，６Ｓ６）を通過する際に、突出部７３，７４に沿わない空気の流れと、突出部７３，７４の傾斜面７３１，７４１に沿う空気の流れとを生じさせることにより、上記小さな渦を複数発生させやすくすることができる。従って、プロジェクター１の排気騒音を確実に低減できる他、排気効率を確実に高めることができる。
【００５２】
突出部７３，７４は、Ｚ方向に向かうに従って断面積が大きくなる略三角錐形状に形成されていることにより、上記傾斜面７３１，７４１を形成しやすくすることができる。また、これら傾斜面７３１，７４１を排気風が流通することにより、開口部６Ｓを通過した排気風がＸ方向及びＹ方向に広がることを抑制でき、これにより、傾斜面７３１，７４１に沿って流通する空気と、当該傾斜面７３１，７４１に沿わずに流通する空気とを衝突させることができる。従って、複数の上記小さな渦の発生を促すことができ、プロジェクター１の排気騒音の低減、及び、排気効率の向上を図ることができる。
【００５３】
開口部６Ｓ（詳しくは、開口部６Ｓ２，６Ｓ６）におけるＸ方向とは反対側の２つの隅部に配置された突出部７３，７４の傾斜面７３１，７４１は、互いに対向する。これによれば、当該突出部７３，７４間の隙間は、Ｚ方向に向かうに従って狭まることとなるので、これら突出部７３，７４の傾斜面７３１，７４１に沿って流通する空気を衝突させやすくすることができる。また、各傾斜面７３１，７４１に沿って排出される空気は巻きやすくなるため、乱流が発生しやすくなる。従って、複数の上記小さな渦の発生を更に促すことができ、プロジェクター１の排気騒音の低減、及び、排気効率の向上を確実に図ることができる。
【００５４】
［実施形態の変形］
本発明は、上記実施形態に限定されるものではなく、本発明の目的を達成できる範囲での変形、改良等は本発明に含まれるものである。
上記実施形態では、仕切り部材６の開口部６Ｓは、Ｘ方向が長手方向である略矩形状に形成されているとした。しかしながら、本発明はこれに限らない。すなわち、開口部の形状は他の形状でもよく、例えば、円形（真円及び楕円を含む）形状や他の多角形状であってもよい。また、各開口部の配列形式も、マトリクス状に限らず、ハニカム構造のような互い違いの配列であってもよい。また、多角形状に形成された開口部の長手方向が、Ｙ方向であってもよい。
【００５５】
上記実施形態では、突出部７は、略矩形状の開口部６Ｓにおける隅部に配置されているとした。具体的に、各突出部７１〜７４は、第１仕切部６３と第２仕切部６４との交差部位に配置されるとした。しかしながら、本発明はこれに限らない。すなわち、開口部における突出部の位置はどこでもよく、突出部の数も適宜変更可能である。例えば、突出部７１〜７４のうち、いずれか１つのみ設けられていてもよく、これら突出部７１〜７４から選択される２つの突出部が設けられる構成であってもよい。
また、突出部は、第１仕切部６３及び第２仕切部６４のそれぞれに接していなくてもよく、例えば、第１仕切部６３のみ、或いは、第２仕切部６４のみに接していてもよい。
【００５６】
上記実施形態では、開口部６ＳにおけるＸ方向側に位置する突出部７１，７２と、Ｘ方向とは反対側に位置する突出部７３，７４とは、それぞれ形状が異なるとした。しかしながら、本発明はこれに限らない。すなわち、仕切り部材を通過する空気によって生じる風切音（排気騒音）の低減、及び、排気効率の向上の少なくともいずれかを奏することが可能であれば、複数設けられた突出部の形状はそれぞれ同じでもよく、突出部が１つのみ設けられる場合でも、当該突出部の形状は適宜変更可能である。
【００５７】
上記実施形態では、突出部７３，７４は、それぞれ、Ｚ方向に向かうに従って断面積が大きくなる略三角錐形状に形成され、当該突出部７３，７４は、Ｚ方向に対して傾斜する傾斜面７３１，７４１を有するとした。しかしながら、本発明はこれに限らない。すなわち、突出部は、四角錐形状でもよく、他の多角錐形状でもよい。また、突出部７３，７４は、上記突出部７１，７２のように、Ｚ方向に対する傾斜面を有していなくてもよい。また、傾斜面を有する場合でも、傾斜面７３１，７４１と同様の傾斜方向に限らず、他の方向に傾斜していてもよい。
【００５８】
上記実施形態では、突出部７１，７２は、略直角三角柱状に形成され、当該突出部７１，７２間の隙間は、Ｘ方向に向かうに従って広くなるように形成されているとした。しかしながら、本発明はこれに限らない。例えば、突出部７１，７２間をＺ方向に沿って空気が流通可能であれば、各突出部７１，７２の形状は他の形状でもよく、これら突出部７１，７２の間隔も、角柱形状に形成された場合のようにＸ方向において一定でもよく、小さくなってもよい。
【００５９】
上記実施形態では、第１仕切部６３及び第２仕切部６４は、外縁部６１に固定されていた。しかしながら、本発明はこれに限らない。すなわち、第１仕切部６３及び第２仕切部６４の少なくとも一方の仕切部が、当該少なくとも一方の仕切部の長手方向に沿う回動軸を中心として回動可能に外縁部６１に設けられていてもよい。この場合、当該少なくとも一方の仕切部に突出部が設けられていれば、当該少なくとも一方の仕切部とともに突出部を回動させることができる。
【００６０】
上記実施形態では、仕切り部材６は、排気口２Ｃ２に取り付けられるとした。しかしながら、本発明はこれに限らない。すなわち、仕切り部材６は、外装筐体２に対する別部材として構成されていなくてもよく、当該外装筐体２に一体的に形成されていてもよい。この場合、排気口２Ｃ２内に、突出部７１〜７４の少なくとも１つの突出部が形成された第１仕切部６３及び第２仕切部６４が配設された構成を例示できる。
【００６１】
上記実施形態では、第１仕切部６３は、ファン５４から排気口２Ｃ２に向けて流通する空気の流通方向であるＺ方向に対してＸ方向とは反対側に略２８°傾斜しているとした。しかしながら、本発明はこれに限らない。すなわち、第１仕切部６３は、ＹＺ平面に対して傾斜していなくてもよく、傾斜している場合でも、傾斜の方向及び角度は適宜変更可能である。
【００６２】
上記実施形態では、外装筐体２は、アッパーケース２１及びロアーケース２２が組み合わされて構成されるとした。しかしながら、本発明はこれに限らない。例えば、外装筐体は、アッパーケース及びロアーケースに、正面部を構成するフロントケースや、背面部を構成するリアケースが取り付けられることによって構成されてもよい。
【００６３】
上記実施形態では、プロジェクター１は、３つの液晶パネル４５３（４５３Ｒ，４５３Ｇ，４５３Ｂ）を備えることとした。しかしながら、本発明はこれに限らない。すなわち、２つ以下、あるいは、４つ以上の液晶パネルを用いたプロジェクターにも、本発明を適用可能である。
上記実施形態では、画像形成装置４は平面視略Ｌ字形状を有した構成を説明した。しかしながら、本発明はこれに限らず、例えば、平面視略Ｕ字形状を有した構成を採用してもよい。
【００６４】
上記実施形態では、光束入射面と光束射出面とが異なる透過型の液晶パネル４５３を採用した。しかしながら、本発明はこれに限らない。例えば、光入射面と光射出面とが同一となる反射型の液晶パネルを採用してもよい。また、入射光を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【００６５】
上記実施形態では、光源装置４１は、光源ランプ４１１及びリフレクター４１２を有する構成とした。しかしながら、本発明はこれに限らない。すなわち、光源装置は、ＬＥＤ（Light Emitting Diode）等の固体光源を有する構成としてもよい。また、光源装置の数は２つ以上でもよい。
【００６６】
上記実施形態では、仕切り部材６をプロジェクター１に採用した例を挙げた。しかしながら、これに限らない。すなわち、当該仕切り部材６と同様の構成を有する仕切り部材を、排気口を有する電子機器に適用してもよい。
【符号の説明】
【００６７】
１…プロジェクター、２…外装筐体、２Ｃ２…排気口、５…冷却装置、６…仕切り部材、６３…第１仕切部、６４…第２仕切部、６Ｓ（６Ｓ１〜６Ｓ６）…開口部、７（７１〜７４）…突出部、７３１，７４１…傾斜面。
【図１】
0006547298.tif 000002
【図２】
0006547298.tif 000003
【図３】
0006547298.tif 000004
【図４】
0006547298.tif 000005
【図５】
0006547298.tif 000006
【図６】
0006547298.tif 000007
【図７】
0006547298.tif 000008
【図８】
0006547298.tif 000009
【図９】
0006547298.tif 000010
【図１０】
0006547298.tif 000011
【図１１】
0006547298.tif 000012
【図１２】
0006547298.tif 000013
【図１３】
0006547298.tif 000014
【図１４】
0006547298.tif 000015
【図１５】
0006547298.tif 000016
【図１６】
0006547298.tif 000017